(57)【要約】【課題】  雨水を導く機能を損なうことなく、Ｌ型溝を乗り越えることが容易であり、特に身障者にとっても安全かつ容易な通行が実現できてバリアフリー社会に大いに資するＬ型溝を提供する。【解決手段】  Ｌ型溝１を、高溝型２、低溝型３、接続型４、接続型５の４種で構成し、高溝型２は垂直部２ａを一定の高さで形成し、低溝型３は垂直部３ａを高溝型２よりも低い一定の高さで形成し、かつ水平部３ｂ上面３ｄを水平部３ｂの垂直部３ａと反対方向の遊端部近傍から垂直部３ａの上端に向って上り勾配を有する傾斜面とし、また、水平部３ｂに水路トンネル３ｅを設け、接続型４、５は、垂直部４ａ、５ａの延伸方向における一方の上端縁を高溝型２の垂直部２ａ上端と同じ高さにし、他方の上端縁を低溝型３の垂直部３ａ上端と同じ高さにして、それら両上端縁の間の垂直部４ａ、５ａ上面４ｃ、５ｃを傾斜面で形成した。【選択図】  図１
2009249812.tif 000002
【特許請求の範囲】
【請求項１】
道路の側部に設けて雨水を導き、水平部と垂直部を備えるＬ型溝であって、Ｌ型溝は、前記垂直部を一定の高さで形成してある高溝型と、垂直部を高溝型のものよりも低い一定の高さで形成してある低溝型と、垂直部の長手方向における一方の上端縁を前記高溝型の垂直部と同じ高さにし、他方の上端縁を前記低溝型の垂直部と同じ高さにして、それら両上端縁の間の垂直部上面を傾斜面で形成してある第１の接続型と、前記傾斜面の傾斜方向を反対に形成してある第２の接続型の形状が異なる４種で構成しており、また、前記低溝型は、水平部上面を同水平部における垂直部と反対方向に位置する遊端部の近傍から垂直部の上端に向かって上り勾配を付した傾斜面を備え、かつ、同水平部には、前記接続型の水平部上を流れる雨水を導水できる水路トンネルを設けてなるＬ型溝。
【請求項２】
前記高溝型と、第１および第２の接続型の水平部上面を、同水平部における垂直部と反対方向に位置している遊端部の近傍から垂直部の基部に向かって下り勾配の傾斜面にしてなる請求項１に記載のＬ型溝。
【請求項３】
前記第１の接続型、第２の接続型における垂直部上面の両端縁間に位置する傾斜面を、両端縁の手前で高溝型、低溝型の垂直部上端と同じ高さの水平面にしてなる請求項１に記載のＬ型溝。
【発明の詳細な説明】
【技術分野】
【０００１】
本発明は、道路側部に設けられるＬ型溝に関し、より詳しくは、車輌出入り部分に設けるＬ型溝に関する。
【背景技術】
【０００２】
従来、道路側部にはＬ型溝を設けていて、道路上に降り、路側端に集まった雨水を地下排水管の流入口まで導水するための導水溝として用いている（例えば、特許文献１参照）。
【０００３】
しかしながら、Ｌ型溝は道路上の雨水を路側端に導く水平部と、路側端にて雨水の流れを案内する垂直部とで構成されているので、道路の側部に設けられている施設や歩道への出入りの際、前記垂直部により形成される段差を乗り越えなければならず、歩行者や自転車にとっては通行が困難であり、特に身障者、車椅子利用者などにとっては垂直部の数センチメートルの段差が通行の大きな障害となっているのが現状である。
【０００４】
【特許文献１】特開２００２−２４２１１６号公報（第１〜５頁、図１〜７）
【発明の開示】
【発明が解決しようとする課題】
【０００５】
本発明は、雨水を導く機能を損なうことなく、Ｌ型溝を乗り越えることが容易であり、特に身障者にとっても安全かつ容易な通行が実現できてバリアフリー社会に大いに資することのできるＬ型溝を提供できるようにした。
【課題を解決するための手段】
【０００６】
上述した課題を解決するために、本発明に係るＬ型溝は、道路の側部に設けて雨水を導き、水平部と垂直部を備えるＬ型溝であって、Ｌ型溝は、前記垂直部を一定の高さで形成してある高溝型と、垂直部を高溝型のものよりも低い一定の高さで形成してある低溝型と、垂直部の長手方向における一方の上端縁を前記高溝型の垂直部と同じ高さにし、他方の上端縁を前記低溝型の垂直部と同じ高さにして、それら両上端縁の間の垂直部上面を傾斜面で形成してある第１の接続型と、前記傾斜面の傾斜方向を反対に形成してある第２の接続型の形状が異なる４種で構成しており、また、前記低溝型は、水平部上面を同水平部における垂直部と反対方向に位置する遊端部の近傍から垂直部の上端に向かって上り勾配を付した傾斜面を備え、かつ、同水平部には、前記接続型の水平部上を流れる雨水を導水できる水路トンネルを設けたものとしてある。
【０００７】
また前記高溝型と、第１および第２の接続型における水平部上面を、同水平部における垂直部と反対方向に位置している遊端部の近傍から垂直部の基部に向かって下り勾配の傾斜面にしたものとしてある。
【０００８】
さらに前記第１の接続型、第２の接続型における垂直部上面の両端縁間に位置する傾斜面を、両端縁の手前で高溝型、低溝型の垂直部上端と同じ高さの水平面にしたものとしてある。
【発明の効果】
【０００９】
本発明のＬ型溝によれば、道路から施設への出入口などの歩行者や自転車などの通行が必要となる場所に低溝型のＬ型溝を適数配置し、この低溝型の左右両側における所定の側に第１の接続型、第２の接続型をそれぞれ１つずつ配置し、そして第１の接続型、第２の接続型に続けて高溝型を設置することにより、低溝型を設置した部分から歩行者、自転車などのＬ型溝を横切る通行をスムースに行うことができる。
【００１０】
すなわち、歩行者や自転車は道路上から低溝型のＬ型溝上を、この低溝型の水平部上に設けた傾斜面を通って垂直部側に通行でき、しかも低溝型のＬ型溝に設けたトンネル状の水路によって雨水は円滑に案内される。
【発明を実施するための最良の形態】
【００１１】
以下、本発明のＬ型溝を添付図面に基づいて説明する。
本Ｌ型溝１は、図１に示すように、高溝型２、低溝型３、接続型４、接続型５の４種で構成してある。
【００１２】
前記高溝型２は、道路と例えば歩道との境に設置するもので、その垂直部２ａは、Ｌ型溝１を設置する道路の道路面と例えば歩道面との段差高に合わせた高さに構成してあって、その上面２ｃを水平面としてある。
【００１３】
また、同高溝型２の水平部２ｂにおける上面２ｄは、垂直部２ａと反対方向に位置する遊端部方向から同垂直部２ａの基部に向う下り勾配を付した傾斜面にしている。
【００１４】
前記低溝型３は、例えば道路脇の施設などへの出入りをする部分における道路と例えば歩道との境に設置するもので、その垂直部３ａは前記高溝型２の垂直部２ａよりも低い一定の高さに設定してあって、その上面３ｃを水平面に形成してある。
【００１５】
また、同低溝型３の水平部３ｂにおける上面３ｄは、垂直部３ａと反対方向に位置する遊端部方向から同垂直部３ａの上端に向う上り勾配を付した傾斜面にしてある。
【００１６】
さらに、同低溝型３の水平部３ｂには、後述する接続型４、５の水平部４ｂ、５ｂの上面を流れる雨水を導水する水路トンネル３ｅを設けていて、この水路トンネル３ｅの上端は、水平部３ｂの上面３ｄと垂直部３ａの上端に合わせてある。
【００１７】
実施例の水路トンネル３ｅは、開口３ｆの下方部分を後述する接続型４、５の垂直部４ａ、５ａと水平部４ｂ、５ｂの基部形状に合わせた角パイプで形成してある。
【００１８】
また、水路トンネル３ｅは、水平部３ｂの内部に埋設した状態で設ける場合もある。
【００１９】
前記接続型４、５は、高溝型２と低溝型３の間に配設するもので、接続型４の垂直部４ａにおける上面４ｃと接続型５の垂直部５ａにおける上面５ｃは所定方向の傾斜面にしていて、高溝型２の垂直部２ａにおける上面２ｄと低溝型３の垂直部３ａにおける上面３ｄとの間に段差ができないようにしている。
【００２０】
本実施例では、接続型４を低溝型３の、向って左側に配設する第１の接続型とし、接続型５は低溝型の、向って右側に配設する第２の接続型として、それぞれ垂直部４ａ、５ａの上面４ｃ、５ｃにおける傾斜方向を決めている。
【００２１】
そして同接続型４、５の水平部４ｂ、５ｂにおける上面４ｄ、５ｄは、それぞれの垂直部４ａ、５ａと反対方向に位置する遊端部方向から同垂直部４ａ、５ａの基部に向う下り勾配を付した傾斜面にしている。すなわち、溝型２の水平部２ｂにおける上面２ｄの傾斜面と同じ傾斜面にしている。
【００２２】
また、接続型４、５の垂直部４ａ、５ａにおける所定方向に傾斜している上面４ｃ、５ｃは、図６に示すように、両端縁の手前で高溝型２、低溝型３の垂直部２ａ、３ａにおける上端と同じ高さの水平面４ｅにする場合もある。
【００２３】
図７は、本Ｌ型溝の使用例を示す斜視図を示していて、図中の出入り箇所における道路６の上面とＬ型溝１の低溝型３における水平部３ｂの上端すなわち上面３ｄと、歩道７の上面と低溝型３における垂直部３ａの上端すなわち上面３ｃとの段差をゼロに等しくできる。
【００２４】
したがって、道路６上から低溝型３の水平部３ｂ上、同低溝型３の水平部３ｂ上から水路トンネル３ｅ上そして垂直部３ａ上から歩道７上へと歩行者や自転車がスムースに通行することができる。
また、車輌が通過する場合には車輌のタイヤに付着する砂やタイヤの溝に挟まっている石が段差を通過する際の衝撃によって落下するというようなことも生じにくく、このような砂や石の落下、堆積によって雨水の流れが妨げられるというような問題も解消することができる。
【００２５】
そして、低溝型３のＬ型溝には水路トンネル３ｅを設けているので、それぞれのＬ型溝上を流れて来た雨水は堰き止められてしまうことなく水路トンネル３ｅを通過して後段のＬ型溝上を流れて行くことができる。
【図面の簡単な説明】
【００２６】
【図１】本発明に係るＬ型溝を示す斜視図。
【図２】図１中の矢印Ａ方向から示した高溝型の側面図。
【図３】図１中の矢印Ａ方向から示した接続型の側面図。
【図４】図１中の矢印Ａ方向から示した低溝型の側面図。
【図５】図１中の矢印Ａ方向から示した接続型の側面図。
【図６】他形態の接続型を示す斜視図。
【図７】本Ｌ型溝の使用例を示す斜視図。
【符号の説明】
【００２７】
１  Ｌ型溝
２  高溝型
２ａ  垂直部
２ｂ  水平部
２ｃ  上面
２ｄ  上面
３  低溝型
３ａ  垂直部
３ｂ  水平部
３ｃ  上面
３ｄ  上面
３ｅ  水路トンネル
３ｆ  開口
４  接続型
４ａ  垂直部
４ｂ  水平部
４ｃ  上面
４ｄ  上面
４ｅ  水平面
５  接続型
５ａ  垂直部
５ｂ  水平部
５ｃ  上面
５ｄ  上面
６  道路
７  歩道
【図１】
2009249812.tif 000003
【図２】
2009249812.tif 000004
【図３】
2009249812.tif 000005
【図４】
2009249812.tif 000006
【図５】
2009249812.tif 000007
【図６】
2009249812.tif 000008
【図７】
2009249812.tif 000009